(57)【要約】【課題】ユーザが歩数計を忘れたりなくしたりするのを防止するとともに、長期にわたってウォーキングを継続できるようなモチベーションをユーザに提供すること。【解決手段】本発明による歩数計１００は、携帯電話１０１の外部接続端子に差し込んで使用するアダプタであり、所定のキーが押下されると内部の歩行データ（ユーザがいつどれだけ歩いたか）を携帯電話１０１のディスプレイに表示する。また、携帯電話１０１との接続時や一日一回所定時刻に、携帯電話１０１のインターネット接続機能を利用して、上記データをサーバ１０２に送信する。サーバ１０２に蓄積されたデータは、インターネット上のＷｅｂページとして携帯電話１０１から閲覧することができる。今日何時頃にどれだけ歩いたか（歩数・距離・消費カロリーなど）、全ユーザ中上位何位につけているかなどを随時確認することが可能。【選択図】　　　図１
2004118339.tif 000002
【特許請求の範囲】
【請求項１】
サーバとそのクライアントである携帯電話、および当該携帯電話に接続された歩数計から構成される情報配信システムにおいて、
前記歩数計は、
ユーザがいつどれだけ歩いたかを示す歩行データを記録する歩行データ記録手段と、
前記歩行データ記録手段により記録された歩行データを前記携帯電話に送信する第１の歩行データ送信手段と、を備え、
前記携帯電話は、
前記第１の歩行データ送信手段から送信されてきた歩行データを受信する第１の歩行データ受信手段と、
前記第１の歩行データ受信手段により受信した歩行データおよび前記ユーザの識別情報を前記サーバに送信する第２の歩行データ送信手段と、を備え、
前記サーバは、
前記第２の歩行データ送信手段から送信されてきた歩行データおよび前記ユーザの識別情報を受信する第２の歩行データ受信手段と、
前記第２の歩行データ受信手段により受信した識別情報により特定されるユーザの一定期間ごとの総歩数、総歩行距離あるいは総消費カロリーを前記歩行データにもとづいて算出する歩行実績算出手段と、
前記歩行実績算出手段により算出された総歩数、総歩行距離あるいは総消費カロリーを前記携帯電話に送信する歩行実績送信手段と、
を備えたことを特徴とする情報配信システム。
【請求項２】
前記サーバは、さらに、前記歩行実績算出手段により算出された総歩数、総歩行距離あるいは総消費カロリーにもとづいて前記ユーザの全ユーザ中における順位を算出する順位算出手段と、
前記順位算出手段により算出された順位を前記携帯電話に送信する順位送信手段と、
を備えたことを特徴とする前記請求項１に記載の情報配信システム。
【請求項３】
前記携帯電話は、さらに、前記第１の歩行データ受信手段により受信した歩行データを表示する歩行データ表示手段を備えたことを特徴とする前記請求項１または請求項２に記載の情報配信システム。
【請求項４】
歩数計が接続された携帯電話をクライアントとする情報配信装置であって、
ユーザがいつどれだけ歩いたかを示す歩行データおよび当該ユーザの識別情報を前記携帯電話から受信する受信手段と、
前記受信手段により受信した識別情報により特定されるユーザの一定期間ごとの総歩数、総歩行距離あるいは総消費カロリーを前記歩行データにもとづいて算出する歩行実績算出手段と、
前記歩行実績算出手段により算出された総歩数、総歩行距離あるいは総消費カロリーを前記携帯電話に送信する歩行実績送信手段と、
を備えたことを特徴とする情報配信装置。
【請求項５】
さらに、前記歩行実績算出手段により算出された総歩数、総歩行距離あるいは総消費カロリーにもとづいて前記ユーザの全ユーザ中における順位を算出する順位算出手段と、
前記順位算出手段により算出された順位を前記携帯電話に送信する順位送信手段と、
を備えたことを特徴とする前記請求項４に記載の情報配信装置。
【請求項６】
歩数計が接続された携帯電話をクライアントとするサーバの情報配信方法であって、
ユーザがいつどれだけ歩いたかを示す歩行データおよび当該ユーザの識別情報を前記携帯電話から受信する受信工程と、
前記受信工程で受信した識別情報により特定されるユーザの一定期間ごとの総歩数、総歩行距離あるいは総消費カロリーを前記歩行データにもとづいて算出する歩行実績算出工程と、
前記歩行実績算出工程で算出された総歩数、総歩行距離あるいは総消費カロリーを前記携帯電話に送信する歩行実績送信工程と、
を含んだことを特徴とする情報配信方法。
【請求項７】
さらに、前記歩行実績算出工程で算出された総歩数、総歩行距離あるいは総消費カロリーにもとづいて前記ユーザの全ユーザ中における順位を算出する順位算出工程と、
前記順位算出工程で算出された順位を前記携帯電話に送信する順位送信工程と、
を含んだことを特徴とする前記請求項６に記載の情報配信方法。
【請求項８】
前記歩数計は紐などで首に釣り下げられた状態または首輪などで首に巻き付けられた状態で人間または動物であるユーザの歩行データを記録することを特徴とする前記請求項１〜請求項７のいずれか一つに記載の歩数計。
【請求項９】
前記請求項６または請求項７に記載された方法をコンピュータに実行させるプログラム。
【発明の詳細な説明】
【０００１】
【発明の属する技術分野】
この発明は、ユーザの歩行データを当該ユーザの所持する携帯電話に配信する情報配信システム、情報配信装置、情報配信方法、歩数計およびその方法をコンピュータに実行させるプログラムに関する。
【０００２】
【従来の技術】
ダイエットや生活習慣病の予防などの目的で、日常生活の中に何らかの運動を取り入れている人は多いが、とりわけウォーキングはいつでも、どこでも手軽にできることから人気が高い。そして、どれだけ歩いたかを数値で確認できる歩数計も安定した市場を有しており、過去数日間の歩数の履歴を表示できるものや、ゲーム感覚でウォーキングを続けてゆけるものなど、各社から様々な製品が販売されている。
【０００３】
【発明が解決しようとする課題】
しかしながらウォーキングは簡単に始められる反面、基本的に一人の運動であることから続かない人も多く、せっかく買った歩数計も無駄になってしまうケースが多い。これは本人の問題でもあるが、歩数計に内蔵されているゲームが面白くなかったり、一度クリアしてしまうと飽きてしまったりというように、歩数計の側にたとえば何年といった長期間、ユーザがウォーキングを継続できるような工夫がされていないのも一因である。
【０００４】
また、従来技術による歩数計では軽くて小さな筐体など、ユーザが携帯しやすいような工夫は種々なされているものの、ユーザが忘れたりなくしたりせず長期にわたって持ち歩いてくれるような工夫がされていなかった。そのためウォーキング自体は続けていても、歩数計を持って出るのを忘れがちだったり、鞄やポケットに入れたままなくしてしまったり、時には衣服と一緒に洗濯してしまったりすることもあった。
【０００５】
この発明は上記従来技術による問題を解決するため、ユーザが歩数計を忘れたりなくしたりするのを防止するとともに、長期にわたってウォーキングを継続できるようなモチベーションをユーザに提供することが可能な情報配信システム、情報配信装置、情報配信方法、歩数計およびその方法をコンピュータに実行させるプログラムを提供することを目的とする。
【０００６】
【課題を解決するための手段】
上述した課題を解決し、目的を達成するため、請求項１に記載の発明にかかる情報配信システムは、サーバとそのクライアントである携帯電話、および当該携帯電話に接続された歩数計から構成される情報配信システムにおいて、前記歩数計は、ユーザがいつどれだけ歩いたかを示す歩行データを記録する歩行データ記録手段と、前記歩行データ記録手段により記録された歩行データを前記携帯電話に送信する第１の歩行データ送信手段と、を備え、前記携帯電話は、前記第１の歩行データ送信手段から送信されてきた歩行データを受信する第１の歩行データ受信手段と、前記第１の歩行データ受信手段により受信した歩行データおよび前記ユーザの識別情報を前記サーバに送信する第２の歩行データ送信手段と、を備え、前記サーバは、前記第２の歩行データ送信手段から送信されてきた歩行データおよび前記ユーザの識別情報を受信する第２の歩行データ受信手段と、前記第２の歩行データ受信手段により受信した識別情報により特定されるユーザの一定期間ごとの総歩数、総歩行距離あるいは総消費カロリーを前記歩行データにもとづいて算出する歩行実績算出手段と、前記歩行実績算出手段により算出された総歩数、総歩行距離あるいは総消費カロリーを前記携帯電話に送信する歩行実績送信手段と、を備えたことを特徴とする。
【０００７】
この請求項１に記載の発明によれば、ユーザは歩数計としての最低限の機能のみ具備したごく軽量・小型の歩数計を、携帯電話のアダプタとして、常に携帯電話と一緒に持ち歩くことができる。
【０００８】
また、請求項２に記載の発明にかかる情報配信システムは、前記請求項１に記載の発明において、前記サーバが、さらに、前記歩行実績算出手段により算出された総歩数、総歩行距離あるいは総消費カロリーにもとづいて前記ユーザの全ユーザ中における順位を算出する順位算出手段と、前記順位算出手段により算出された順位を前記携帯電話に送信する順位送信手段と、を備えたことを特徴とする。
【０００９】
この請求項２に記載の発明によれば、歩数計の個々のユーザに対して、自分が他のユーザに比較してどの程度よく歩いているのかが通知される。
【００１０】
また、請求項３に記載の発明にかかる情報配信システムは、前記請求項１または請求項２に記載の発明において、前記携帯電話が、さらに、前記第１の歩行データ受信手段により受信した歩行データを表示する歩行データ表示手段を備えたことを特徴とする。
【００１１】
この請求項３に記載の発明によれば、ユーザは歩数計としての最低限の機能のみ具備したごく軽量・小型の歩数計を、携帯電話のアダプタとして、常に携帯電話と一緒に持ち歩くことができる。
【００１２】
また、請求項４に記載の発明にかかる情報配信装置は、歩数計が接続された携帯電話をクライアントとする情報配信装置であって、ユーザがいつどれだけ歩いたかを示す歩行データおよび当該ユーザの識別情報を前記携帯電話から受信する受信手段と、前記受信手段により受信した識別情報により特定されるユーザの一定期間ごとの総歩数、総歩行距離あるいは総消費カロリーを前記歩行データにもとづいて算出する歩行実績算出手段と、前記歩行実績算出手段により算出された総歩数、総歩行距離あるいは総消費カロリーを前記携帯電話に送信する歩行実績送信手段と、を備えたことを特徴とする。
【００１３】
この請求項４に記載の発明によれば、ユーザは歩数計としての最低限の機能のみ具備したごく軽量・小型の歩数計を、携帯電話のアダプタとして、常に携帯電話と一緒に持ち歩くことができる。
【００１４】
また、請求項５に記載の発明にかかる情報配信装置は、前記請求項４に記載の発明において、さらに、前記歩行実績算出手段により算出された総歩数、総歩行距離あるいは総消費カロリーにもとづいて前記ユーザの全ユーザ中における順位を算出する順位算出手段と、前記順位算出手段により算出された順位を前記携帯電話に送信する順位送信手段と、を備えたことを特徴とする。
【００１５】
この請求項５に記載の発明によれば、歩数計の個々のユーザに対して、自分が他のユーザに比較してどの程度よく歩いているのかが通知される。
【００１６】
また、請求項６に記載の発明にかかる情報配信方法は、歩数計が接続された携帯電話をクライアントとするサーバの情報配信方法であって、ユーザがいつどれだけ歩いたかを示す歩行データおよび当該ユーザの識別情報を前記携帯電話から受信する受信工程と、前記受信工程で受信した識別情報により特定されるユーザの一定期間ごとの総歩数、総歩行距離あるいは総消費カロリーを前記歩行データにもとづいて算出する歩行実績算出工程と、前記歩行実績算出工程で算出された総歩数、総歩行距離あるいは総消費カロリーを前記携帯電話に送信する歩行実績送信工程と、を含んだことを特徴とする。
【００１７】
この請求項６に記載の発明によれば、ユーザは歩数計としての最低限の機能のみ具備したごく軽量・小型の歩数計を、携帯電話のアダプタとして、常に携帯電話と一緒に持ち歩くことができる。
【００１８】
また、請求項７に記載の発明にかかる情報配信方法は、前記請求項６に記載の発明において、さらに、前記歩行実績算出工程で算出された総歩数、総歩行距離あるいは総消費カロリーにもとづいて前記ユーザの全ユーザ中における順位を算出する順位算出工程と、前記順位算出工程で算出された順位を前記携帯電話に送信する順位送信工程と、を含んだことを特徴とする。
【００１９】
この請求項７に記載の発明によれば、歩数計の個々のユーザに対して、自分が他のユーザに比較してどの程度よく歩いているのかが通知される。
【００２０】
また、請求項８に記載の発明にかかる歩数計は、前記請求項１〜請求項７のいずれか一つに記載の発明において、前記歩数計が紐などで首に釣り下げられた状態または首輪などで首に巻き付けられた状態で人間または動物であるユーザの歩行データを記録することを特徴とする。
【００２１】
この請求項８に記載の発明によれば、ユーザは歩数計としての最低限の機能のみ具備したごく軽量・小型の歩数計を、自己の首から提げて持ち歩くことができる。
【００２２】
また、請求項９に記載の発明にかかるプログラムによれば、前記請求項６または請求項７に記載された方法がコンピュータによって実行される。
【００２３】
【発明の実施の形態】
以下に添付図面を参照して、この発明による情報配信システム、情報配信装置、情報配信方法、歩数計およびその方法をコンピュータに実行させるプログラムの好適な実施の形態を詳細に説明する。
【００２４】
図１は、この発明の実施の形態による情報配信システムの全体構成を示す説明図である。１００は本システムのユーザが所持する歩数計、１０１は同じく携帯電話である。また、１０２は後述する各種の健康生活支援サービスを提供するＡＳＰ（アプリケーション・サービス・プロバイダ）のサーバである。携帯電話１０１とサーバ１０２とは、図示しない無線基地局やインターネットを介して接続されている。
【００２５】
歩数計１００は、内蔵するバネと振り子により歩数を計測するものである。すなわち、歩行中の一歩ごとの上下動でバネが伸び縮みし、当該バネに連なる振り子が振動するので、この振り子の動きで歩数を計測する。歩数計１００は携帯電話１０１のストラップに繋ぎ止められており、近年の歩数計の精度向上（振動検出能力の向上）により、その状態で鞄やポケットに入れておいても正確に歩数をカウントすることができる。
【００２６】
図示するように歩数計１００は、従来の歩数計のような液晶ディスプレイを有しておらず、歩数など何らかのデータを表示させたいときは、携帯電話１０１の外部接続端子に差し込んで使用する。すなわちこの歩数計１００は、単体の歩数計ではなく歩数計アダプタとして、携帯電話１０１と共に使用するものである。
【００２７】
歩数計１００の表面には、携帯スクリーン表示ボタン１００ａ、携帯時刻設定ボタン１００ｂおよびＷｅｂサービス表示ボタン１００ｃが配置されている。この携帯スクリーン表示ボタン１００ａを押下することで、歩数計１００が保持している歩数などを携帯電話１０１のディスプレイに表示させることができる。また、携帯時刻設定ボタン１００ｂを押下すると、携帯電話１０１に設定された現在時刻を取り込んで歩数計１００の現在時刻としてセットすることができる。なお、Ｗｅｂサービス表示ボタン１００ｃの機能については後述する。
【００２８】
つぎに、携帯電話１０１はたとえば（株）ＮＴＴ　Ｄｏｃｏｍｏの「ｉモード」のように、少なくともインターネットへの接続機能やブラウザによるＷｅｂページの閲覧機能を具備する携帯端末である。
【００２９】
図２はこの携帯電話１０１のハードウエア構成の一例を示す説明図である。図中、２０１は装置全体を制御するＣＰＵを、２０２は基本入出力プログラムを記憶したＲＯＭを、２０３はＣＰＵ２０１のワークエリアとして使用されるＲＡＭを、それぞれ示している。
【００３０】
また、２０４は文字や画像などの各種データを表示するディスプレイを、２０５は文字、数字、各種指示などを入力するための操作キー（テンキーや十字キーなど）を、それぞれ示している。
【００３１】
また、２０６は入力した音声を電気信号に変換するマイクを、２０７は入力した電気信号を音声に変換して出力するスピーカを、２０８は無線基地局との電波の送受信を制御する通信制御部を、２０９は歩数計１００をはじめとする各種外部機器との接続口となる外部接続端子を、２００は上記各部を接続するためのバスを、それぞれ示している。
【００３２】
図１に戻り、つぎにサーバ１０２は本システムの各ユーザの携帯電話１０１との間で歩数などのデータを送受信するとともに、各ユーザの属性情報（氏名など）をユーザ管理ＤＢ１０２ａに保持するＷｅｂサーバである。
【００３３】
図３はこのサーバ１０２のハードウエア構成の一例を示す説明図である。図中、３０１は装置全体を制御するＣＰＵを、３０２は基本入出力プログラムを記憶したＲＯＭを、３０３はＣＰＵ３０１のワークエリアとして使用されるＲＡＭを、それぞれ示している。
【００３４】
また、３０４はＣＰＵ３０１の制御にしたがってＨＤ（ハードディスク）３０５に対するデータのリード／ライトを制御するＨＤＤ（ハードディスクドライブ）を、３０５はＨＤＤ３０４の制御にしたがって書き込まれたデータを記憶するＨＤを、それぞれ示している。
【００３５】
また、３０６はＣＰＵ３０１の制御にしたがってＦＤ（フレキシブルディスク）３０７に対するデータのリード／ライトを制御するＦＤＤ（フレキシブルディスクドライブ）を、３０７はＦＤＤ３０６の制御にしたがって書き込まれたデータを記憶する着脱自在のＦＤを、それぞれ示している。
【００３６】
また、３０８はＣＰＵ３０１の制御にしたがってＣＤ−ＲＷ３０９に対するデータのリード／ライトを制御するＣＤ−ＲＷドライブを、３０９はＣＤ−ＲＷドライブ３０８の制御にしたがって書き込まれたデータを記憶する着脱自在のＣＤ−ＲＷを、それぞれ示している。
【００３７】
また、３１０はカーソル、メニュー、ウィンドウ、あるいは文字や画像などの各種データを表示するディスプレイを、３１１は文字、数値、各種指示などの入力のための複数のキーを備えたキーボードを、３１２は各種指示の選択や実行、処理対象の選択、マウスポインタの移動などをおこなうマウスを、それぞれ示している。
【００３８】
また、３１３は通信回線３１４を介してインターネットに接続され、当該ネットワークとＣＰＵ３０１とのインターフェースとして機能するネットワークＩ／Ｆを、３００は上記各部を接続するためのバスを、それぞれ示している。
【００３９】
つぎに、図４はサーバ１０２がインターネットで公開するＷｅｂページの全体構成を示す説明図である。図示する各ページにより、サーバ１０２は主に歩数計１００の所有者に対して、以下で説明する各種の健康生活支援サービスを提供する。
【００４０】
まず、上記サービスには誰でも無料で利用できるものと、歩数計１００の所有者であって、所定の手続きにより会員登録を済ませたユーザのみが有料で利用できるものとある。
【００４１】
無料サービスには図示するように、身長と体重を入力すると標準体重と肥満度が表示される「肥満度チェック」、血圧や尿酸値などを入力すると健康度が表示される「健康度チェック」、生年月日を入力するとＥＱ（Ｅｍｏｔｉｏｎａｌ　Ｑｕａｎｔｉｔｙ）による占い結果が表示される「健康占い」、あるいは健康やダイエットをキーワードとした掲示板サービスなどがある。
【００４２】
また、有料サービスは会員登録後に利用できるサービスである。会員登録は下記の手順によりおこなう。
【００４３】
まず、歩数計１００を携帯電話１０１の外部接続端子２０９に差し込んだ状態で、そのＷｅｂサービス表示ボタン１００ｃを押下する。この押下をトリガーとして、携帯電話１０１はサーバ１０２上の所定のＷｅｂページ、具体的には図４中の「サイトトップ」（トップページ）をそのディスプレイ２０４に表示する。ここからその下の「会員登録サービス」に移動して、氏名などの必要事項を入力・送信すると、まもなくサーバ１０２から携帯電話１０１へ、有料サービスを利用するためのログイン名とパスワードの記載された電子メールが返信される。
【００４４】
また、上記により会員登録を受け付けたサーバ１０２は、そのユーザ管理ＤＢ１０２ａにユーザの属性情報、すなわち上記で入力された氏名、ニックネーム、年齢、性別、地域（都道府県）、身長、体重、ダイエットをするか否か、ダイエットをする場合の期間と目標体重、歩数計１００のアダプタＩＤ（製造番号）、携帯電話１０１の電話番号とメールアドレス、発行したログイン名とパスワードなどを登録する。なお、ダイエットをすることが指定されている場合には、日ごとや月ごとの目標歩数・目標距離および目標消費カロリーを目標体重や期間から逆算して、同じくユーザ管理ＤＢ１０２ａに登録しておく。
【００４５】
また、ユーザ管理ＤＢ１０２ａにはユーザの歩行データが順次蓄積される。図５は、ユーザ管理ＤＢ１０２ａへの歩行データの登録処理の手順を示すフローチャートである。
【００４６】
歩数計１００は携帯電話１０１の外部接続端子２０９に接続されると（ステップＳ５０１：Ｙｅｓ）、内部に保持しているユーザの歩行データ、すなわちユーザがいつどれだけ歩いたかを携帯電話１０１に送出する（ステップＳ５０２）。携帯電話１０１はこれを受けて、そのディスプレイ２０４にユーザの歩数などを表示する（ステップＳ５０３）。なお、この表示は一定時間経過後（たとえば５秒後）に解除され、自動的に元表示に戻る。
【００４７】
また、歩数計１００が携帯電話１０１に接続されている状態では、その携帯スクリーン表示ボタン１００ａを押下することで（ステップＳ５０４：Ｙｅｓ）、歩数計１００内部のデータをいつでも携帯電話１０１のディスプレイに表示させることができる（ステップＳ５０２・Ｓ５０３）。
【００４８】
一方、歩数計１００が携帯電話１０１に接続された状態で、歩行データの提出時期としてあらかじめ指定された時期、たとえば一日一回所定の時刻が到来すると（ステップＳ５０５：Ｙｅｓ）、歩数計１００は前回送出時以降のユーザの歩行データを携帯電話１０１に送出する（ステップＳ５０６）。
【００４９】
携帯電話１０１はこれを受けて、当該データとユーザの識別情報（ユーザを一意に特定できる情報であって、たとえば歩数計１００のアダプタＩＤや携帯電話１０１の電話番号など）をサーバ１０２に送信する（ステップＳ５０７）。
【００５０】
サーバ１０２は受信した上記情報からユーザを特定して、ユーザ管理ＤＢ１０２ａ内の当該ユーザのレコードに上記歩行データを追加する（ステップＳ５０８）。そして時間帯ごと、および日ごとに歩いた総歩数を集計するとともに（ステップＳ５０９）、図６および図７のようなテーブルを基礎として、時間帯ごと／日ごとの総歩行距離および総消費カロリーを下記計算式により算出する（ステップＳ５１０）。
【００５１】
総歩行距離＝総歩数×歩幅係数
ただし　歩幅係数＝身長−１００ｃｍ
総消費カロリー＝エネルギー消費量（図６）×体重×歩行距離×補正係数（図７）
ただし　歩行距離＝速度×時間
【００５２】
上記で計算された時間帯ごと／日ごとの総歩数、総歩行距離および総消費カロリーも、ユーザ管理ＤＢ１０２ａの上記ユーザのレコードに追加され（ステップＳ５１１）、以下で説明する有料サービスの基礎データとなる。
【００５３】
会員登録をしたユーザは、図４の「会員ログイン」ページでログイン名とパスワードを入力することにより、当該ページ以下の有料サービス、すなわち（１）個人データ管理、（２）ランキング、（３）アプリゲーム、（４）マイレージ、をそれぞれ利用することができる。図８は、サーバ１０２による上記有料サービスの提供の手順を示すフローチャートである。以下同図の流れに沿って、各サービスの内容を順次説明する。
【００５４】
（１）個人データ管理
登録ユーザから通知される歩行データを、距離や消費カロリーなどに換算して、時間帯ごと一日単位、あるいは日ごと一ヶ月単位で表示するサービスである。ユーザがその携帯電話１０１から、図４に示した「会員ログイン」ページによるログインを経て（ステップＳ８０１：Ｙｅｓ）、「個人データ管理」ページからその下の「日次データ」ページあるいは「月次データ」ページにアクセスすると（ステップＳ８０２：Ｙｅｓ）、サーバ１０２は前者の場合は図９、後者の場合は図１０に示すようなＷｅｂページを作成して（ステップＳ８０３）、携帯電話１０１に送信する（ステップＳ８０４）。
【００５５】
図示するようにこれらの画面には、ユーザ管理ＤＢ１０２ａから読み出されたユーザの時間帯ごと一日分／日ごと一ヶ月分の総歩数、総歩行距離および総消費カロリーが表示される。また、いずれの画面でも画面上部にはユーザの目標達成率が表示される。この目標達成率の分母はユーザ管理ＤＢ１０２ａから読み出された当該ユーザの日ごと／月ごとの目標歩数・目標距離および目標消費カロリーであり、分子はその日／その月にすでに歩いた歩数・距離および消費したカロリーである。
【００５６】
（２）ランキング
全国の登録ユーザのうち、各ユーザが歩数・距離あるいは消費カロリーにおいて上位何番目にいるかを通知するサービスである。ユーザがその携帯電話１０１から、図４に示した「ランキング」ページを経てその下の「歩数ランク」ページ、「距離ランク」ページ、あるいは「ダイエットランク」ページのいずれかにアクセスすると（ステップＳ８０５：Ｙｅｓ）、サーバ１０２はまずユーザ管理ＤＢ１０２ａ内の各ユーザの今日の総歩数・総歩行距離あるいは総消費カロリーをそれぞれ降順にソートする（ステップＳ８０６）。
【００５７】
そして、上位Ｎ名（たとえばＮ＝１０）のニックネームを取得するとともに、問い合わせ元のユーザの順位を取得し（ステップＳ８０７）、「歩数ランク」の場合は図１１、「距離ランク」の場合は図１２、「ダイエットランク」の場合は図１３に示すようなＷｅｂページを作成して（ステップＳ８０８）、携帯電話１０１に送信する（ステップＳ８０４）。なお、ランキングは今日でなく、今月の総歩数・総歩行距離・総消費カロリーにもとづいて実施するようにしてもよい。
【００５８】
（３）アプリゲーム
ユーザが楽しくウォーキングを継続できるような、携帯電話１０１用の各種ゲームを配布するサービスである。ユーザがその携帯電話１０１から、図４に示した「アプリゲーム」ページにアクセスすると（ステップＳ８０９：Ｙｅｓ）、ダウンロード可能なゲームの一覧からなる既定のＷｅｂページが携帯電話１０１に送信される（ステップＳ８０４）。
【００５９】
なおこのゲームとしては、たとえばユーザの目標達成率に合わせてキャラクターが痩せてゆく（痩せた姿のキャラクターが表示される）ゲームや、累計歩数が既定の歩数に達するごとに、キャラクターが各種のダンスを踊るゲームなどが考えられる。
【００６０】
（４）マイレージ
ユーザの歩行距離に応じて、図書券などの各種金券を提供するサービスである。ユーザがその携帯電話１０１から、図４に示した「マイレージ」ページにアクセスすると（ステップＳ８１０：Ｙｅｓ）、サーバ１０２は図１４に示すようなＷｅｂページを作成して（ステップＳ８１１）、携帯電話１０１に送信する（ステップＳ８０４）。
【００６１】
図示するように上記ページには、ユーザの累計歩行距離がマイル単位で表示されるとともに（１マイル＝約１．６ｋｍ）、たとえば１マイルを１円換算として、引き替え可能な金券の種別と引き替えに必要なマイル数とが表示される。そして、画面下部の申込みボタン１４００を押下することで、希望の金券を選択して自己のマイルと引き替えることが可能である。
【００６２】
以上説明した実施の形態によれば、歩数計１００はせいぜい歩数を計測して、計測した歩数を携帯電話１０１に送出する機能さえ備えていればよいので、従来の歩数計に比べて圧倒的にその本体を軽量化・小型化することができる（携帯電話１０１のストラップに常時繋ぎ止めておいても邪魔にならないほど）。そして、財布と並んで外出時には必ず携帯されると言ってもよい携帯電話１０１につけておけることで、歩数計１００を忘れたり、なくしたりする頻度を大きく減少させられると期待できる。
【００６３】
また、歩数計１００を従来品よりも格段に軽く、小さくできることから、人間だけでなく犬や猫などのペットの健康管理に役立てることもできる。少子化／高齢化の進行に伴って年々需要の増大しているペットについても、文字通り家族の一員として、ダイエットや生活習慣病の予防が必要であることは広く認識されている。そして従来品の歩数計は重すぎたり大きすぎたり、歩行の邪魔になったり木の枝などに引っかかりやすかったりすることからペットには不向きであったが、本発明による歩数計１００はペットの首輪に取り付けることができるので、邪魔にならずまた安全である。
【００６４】
また、ユーザの歩行データをサーバ１０２で保管することから、歩数計本体でデータを保管していた従来技術に比べて、より大量のデータを記録しておくことができ、たとえば去年の今頃はどのくらい歩いていたかなど、長期にわたってウォーキングの履歴を参照することが可能である。
【００６５】
さらに、歩数計よりもＰＣなどのほうがデータの加工能力に優れているので、サーバ１０２では歩数を距離や消費カロリーに換算するといったごく簡単な処理だけでなく、たとえば過去の各期間の総歩数とその間の体重の減少との相関を取って、当該関係を示すグラフのデータを携帯電話１０１に送信するなどの複雑なデータ加工が可能である。
【００６６】
また、全国の登録ユーザに対して自分が今何番目にいるかが分かったり、掲示板により他のユーザと交流できたりするので、多くのユーザが挫折する原因となっていた一人歩きの孤独感が解消され、ウォーキングを「孤独な戦い」から「集団で楽しむスポーツ」へと進化させることができる。
【００６７】
また、単調となりがちなウォーキングを飽きずに続けてゆけるような、多種多様なゲームをインターネットで随時配布することで、内蔵のゲームがつまらないために歩数計１００が使われなくなるということがなく、長期にわたって同一の歩数計１００を愛用してもらうことができる。
【００６８】
さらに上述したマイレージサービスのほか、ユーザのモチベーションを高めるためのサービスを流行に合わせて機動的に提供可能なので、ユーザは種々のサービスの特典などを享受しながら、楽しくウォーキングを続けてゆくことができる。なお上述した実施の形態では、図４に示した各種サービスのうち個人データ管理以下を有償としたが、有償／無償の区別は本システムに本質的なものでなく、上記システムによりどんなサービスをどんな価格で提供するかは任意である。
【００６９】
なお、上述した実施の形態ではもっぱらユーザの携帯電話１０１に対する情報配信を想定しているが、たとえばユーザが自宅に保持するＰＣからも、日次／月次データやランキング結果などが閲覧できるようにしてもよい。携帯電話とＰＣでは画面サイズが異なるので、サーバ１０２はＷｅｂページへのアクセス要求を受け付けたときに、要求元のブラウザをヘッダ情報などから識別して、各要求元での表示に適したＷｅｂページを作成・送信する。ＰＣからもアクセス可能とすることで、たとえば日次データや月次データをファイルとして保存したり、プリンタで打ち出したりすることが可能になる。なお、ＰＣ用にデータのダウンロード機能を用意することもできる。
【００７０】
【発明の効果】
以上説明したように請求項１に記載の発明は、サーバとそのクライアントである携帯電話、および当該携帯電話に接続された歩数計から構成される情報配信システムにおいて、前記歩数計は、ユーザがいつどれだけ歩いたかを示す歩行データを記録する歩行データ記録手段と、前記歩行データ記録手段により記録された歩行データを前記携帯電話に送信する第１の歩行データ送信手段と、を備え、前記携帯電話は、前記第１の歩行データ送信手段から送信されてきた歩行データを受信する第１の歩行データ受信手段と、前記第１の歩行データ受信手段により受信した歩行データおよび前記ユーザの識別情報を前記サーバに送信する第２の歩行データ送信手段と、を備え、前記サーバは、前記第２の歩行データ送信手段から送信されてきた歩行データおよび前記ユーザの識別情報を受信する第２の歩行データ受信手段と、前記第２の歩行データ受信手段により受信した識別情報により特定されるユーザの一定期間ごとの総歩数、総歩行距離あるいは総消費カロリーを前記歩行データにもとづいて算出する歩行実績算出手段と、前記歩行実績算出手段により算出された総歩数、総歩行距離あるいは総消費カロリーを前記携帯電話に送信する歩行実績送信手段と、を備えたので、ユーザは歩数計としての最低限の機能のみ具備したごく軽量・小型の歩数計を、携帯電話のアダプタとして、常に携帯電話と一緒に持ち歩くことができ、これによって、ユーザが歩数計を忘れたりなくしたりするのを防止することが可能な情報配信システムが得られるという効果を奏する。
【００７１】
また、請求項２に記載の発明は、前記請求項１に記載の発明において、前記サーバが、さらに、前記歩行実績算出手段により算出された総歩数、総歩行距離あるいは総消費カロリーにもとづいて前記ユーザの全ユーザ中における順位を算出する順位算出手段と、前記順位算出手段により算出された順位を前記携帯電話に送信する順位送信手段と、を備えたので、歩数計の個々のユーザに対して、自分が他のユーザに比較してどの程度よく歩いているのかが通知され、これによって、長期にわたってウォーキングを継続できるようなモチベーションをユーザに提供することが可能な情報配信システムが得られるという効果を奏する。
【００７２】
また、請求項３に記載の発明は、前記請求項１または請求項２に記載の発明において、前記携帯電話が、さらに、前記第１の歩行データ受信手段により受信した歩行データを表示する歩行データ表示手段を備えたので、ユーザは歩数計としての最低限の機能のみ具備したごく軽量・小型の歩数計を、携帯電話のアダプタとして、常に携帯電話と一緒に持ち歩くことができ、これによって、ユーザが歩数計を忘れたりなくしたりするのを防止することが可能な情報配信システムが得られるという効果を奏する。
【００７３】
また、請求項４に記載の発明は、歩数計が接続された携帯電話をクライアントとする情報配信装置であって、ユーザがいつどれだけ歩いたかを示す歩行データおよび当該ユーザの識別情報を前記携帯電話から受信する受信手段と、前記受信手段により受信した識別情報により特定されるユーザの一定期間ごとの総歩数、総歩行距離あるいは総消費カロリーを前記歩行データにもとづいて算出する歩行実績算出手段と、前記歩行実績算出手段により算出された総歩数、総歩行距離あるいは総消費カロリーを前記携帯電話に送信する歩行実績送信手段と、を備えたので、ユーザは歩数計としての最低限の機能のみ具備したごく軽量・小型の歩数計を、携帯電話のアダプタとして、常に携帯電話と一緒に持ち歩くことができ、これによって、ユーザが歩数計を忘れたりなくしたりするのを防止することが可能な情報配信装置が得られるという効果を奏する。
【００７４】
また、請求項５に記載の発明は、前記請求項４に記載の発明において、さらに、前記歩行実績算出手段により算出された総歩数、総歩行距離あるいは総消費カロリーにもとづいて前記ユーザの全ユーザ中における順位を算出する順位算出手段と、前記順位算出手段により算出された順位を前記携帯電話に送信する順位送信手段と、を備えたので、歩数計の個々のユーザに対して、自分が他のユーザに比較してどの程度よく歩いているのかが通知され、これによって、長期にわたってウォーキングを継続できるようなモチベーションをユーザに提供することが可能な情報配信装置が得られるという効果を奏する。
【００７５】
また、請求項６に記載の発明は、歩数計が接続された携帯電話をクライアントとするサーバの情報配信方法であって、ユーザがいつどれだけ歩いたかを示す歩行データおよび当該ユーザの識別情報を前記携帯電話から受信する受信工程と、前記受信工程で受信した識別情報により特定されるユーザの一定期間ごとの総歩数、総歩行距離あるいは総消費カロリーを前記歩行データにもとづいて算出する歩行実績算出工程と、前記歩行実績算出工程で算出された総歩数、総歩行距離あるいは総消費カロリーを前記携帯電話に送信する歩行実績送信工程と、を含んだので、ユーザは歩数計としての最低限の機能のみ具備したごく軽量・小型の歩数計を、携帯電話のアダプタとして、常に携帯電話と一緒に持ち歩くことができ、これによって、ユーザが歩数計を忘れたりなくしたりするのを防止することが可能な情報配信方法が得られるという効果を奏する。
【００７６】
また、請求項７に記載の発明は、前記請求項６に記載の発明において、さらに、前記歩行実績算出工程で算出された総歩数、総歩行距離あるいは総消費カロリーにもとづいて前記ユーザの全ユーザ中における順位を算出する順位算出工程と、前記順位算出工程で算出された順位を前記携帯電話に送信する順位送信工程と、を含んだので、歩数計の個々のユーザに対して、自分が他のユーザに比較してどの程度よく歩いているのかが通知され、これによって、長期にわたってウォーキングを継続できるようなモチベーションをユーザに提供することが可能な情報配信方法が得られるという効果を奏する。
【００７７】
また、請求項８に記載の発明は、前記請求項１〜請求項７のいずれか一つに記載の発明において、前記歩数計が紐などで首に釣り下げられた状態または首輪などで首に巻き付けられた状態で人間または動物であるユーザの歩行データを記録するので、ユーザは歩数計としての最低限の機能のみ具備したごく軽量・小型の歩数計を、自己の首から提げて持ち歩くことができ、これによって、ユーザが忘れたりなくしたりするのを防止することが可能な歩数計が得られるという効果を奏する。
【００７８】
また、請求項９に記載の発明によれば、前記請求項６または請求項７に記載された方法をコンピュータに実行させることが可能なプログラムが得られるという効果を奏する。
【図面の簡単な説明】
【図１】この発明の実施の形態による情報配信システムの全体構成を示す説明図である。
【図２】この発明の実施の形態による携帯電話１０１のハードウエア構成の一例を示す説明図である。
【図３】この発明の実施の形態によるサーバ１０２のハードウエア構成の一例を示す説明図である。
【図４】この発明の実施の形態によるサーバ１０２がインターネットで公開するＷｅｂページの全体構成を示す説明図である。
【図５】この発明の実施の形態によるユーザ管理ＤＢ１０２ａへの、歩行データの登録処理の手順を示すフローチャートである。
【図６】この発明の実施の形態によるサーバ１０２が、一定期間内のユーザの総消費カロリーを算出する際に参照するエネルギー消費量テーブルの一例を示す説明図である。
【図７】この発明の実施の形態によるサーバ１０２が、一定期間内のユーザの総消費カロリーを算出する際に参照する補正係数テーブルの一例を示す説明図である。
【図８】この発明の実施の形態によるサーバ１０２が提供する、健康生活支援サービスのうち特に有料サービスの提供の手順を示すフローチャートである。
【図９】この発明の実施の形態によるサーバ１０２が作成する、ユーザの歩行データの表示画面（時間帯ごと一日分）の一例を示す説明図である。
【図１０】この発明の実施の形態によるサーバ１０２が作成する、ユーザの歩行データの表示画面（日ごと一ヶ月分）の一例を示す説明図である。
【図１１】この発明の実施の形態によるサーバ１０２が作成する、歩数によるユーザのランキング画面の一例を示す説明図である。
【図１２】この発明の実施の形態によるサーバ１０２が作成する、歩行距離によるユーザのランキング画面の一例を示す説明図である。
【図１３】この発明の実施の形態によるサーバ１０２が作成する、消費カロリーによるユーザのランキング画面の一例を示す説明図である。
【図１４】この発明の実施の形態によるサーバ１０２が作成する、マイレージの引き替え画面の一例を示す説明図である。
【符号の説明】
１００　歩数計（歩数計アダプタ）
１０１　携帯電話
１０２　サーバ
２００，３００　バス
２０１，３０１　ＣＰＵ
２０２，３０２　ＲＯＭ
２０３，３０３　ＲＡＭ
２０４　ディスプレイ
２０５　操作キー
２０６　マイク
２０７　スピーカ
２０８　通信制御部
２０９　外部接続端子
３０４　ＨＤＤ
３０５　ＨＤ
３０６　ＦＤＤ
３０７　ＦＤ
３０８　ＣＤ−ＲＷドライブ
３０９　ＣＤ−ＲＷ
３１０　ディスプレイ
３１１　キーボード
３１２　マウス
３１３　ネットワークＩ／Ｆ
３１４　通信回線
【図１】
2004118339.tif 000003
【図２】
2004118339.tif 000004
【図３】
2004118339.tif 000005
【図４】
2004118339.tif 000006
【図５】
2004118339.tif 000007
【図６】
2004118339.tif 000008
【図７】
2004118339.tif 000009
【図８】
2004118339.tif 000010
【図９】
2004118339.tif 000011
【図１０】
2004118339.tif 000012
【図１１】
2004118339.tif 000013
【図１２】
2004118339.tif 000014
【図１３】
2004118339.tif 000015
【図１４】
2004118339.tif 000016